(57)【特許請求の範囲】
【請求項１】
信号記録媒体に照射する光ビームを発生させる光源として半導体レーザーを使用する光ピックアップの半導体レーザーの固定装置であって、
前記半導体レーザーは、底部分をカット面とした円筒形状のステムを有し、
該半導体レーザーが取付けられるハウジングの半導体レーザー装着部に、該カット面が露出されるべく一部が開放された円筒形状の半導体レーザー取付孔が設けられ、
該半導体レーザーを該半導体レーザー装着部に押圧する押圧板が設けられ、
該押圧板は、該半導体レーザーを押圧する弾性部材を有した押圧片と、該カット面を支持する弾性部材を有した支え片とを備え、
該半導体レーザー装着部に設けられた該半導体レーザー取付孔に、該半導体レーザーが挿入され、
該半導体レーザー装着部に固定される該押圧板により、該カット面が押圧されて該ハウジングに該半導体レーザーが固定され、
該カット面と、該支え片との圧接により、該半導体レーザーの角度が最適角度とされたことを特徴とする光ピックアップの半導体レーザー固定装置。
【請求項２】
前記押圧板は、該押圧板を前記半導体レーザー装着部に固定させる取付け孔を備え、
該押圧板を該半導体レーザー装着部に固定させるネジと、該押圧板が該ネジにて取付けられる前記ハウジングのネジ孔とが設けられ、
該ネジ孔に該ネジがネジ止めされて、前記半導体レーザーと、該押圧板とが、該半導体レーザー装着部に固定されたことを特徴とする請求項１に記載の光ピックアップの半導体レーザー固定装置。
【請求項３】
前記半導体レーザーが前記半導体レーザー取付孔に挿入されたときに、前記ステムと当接する溝枠が、該半導体レーザー取付孔の円筒内に設けられ、
該半導体レーザーの前記カット面が底面とされた状態で、半導体レーザーが該半導体レーザー取付孔に挿入され、該溝枠に、該半導体レーザーに設けられた当接面が当接することを特徴とする請求項１又は２に記載の光ピックアップの半導体レーザー固定装置。
【発明の詳細な説明】
【０００１】
【発明の属する技術分野】
本発明は、光ピックアップの光源となる半導体レーザーをハウジングに固定する光ピックアップの半導体レーザー固定装置に関する。
【０００２】
【従来の技術】
信号記録媒体に記録された信号を光学的に再生する光ピックアップは、光路用の孔が穿設された半導体レーザー装着部に種々の光学部品が組み込まれて構成されている。斯かる光ピックアップの半導体レーザーはレーザーチップを載せる台座となるステムは円筒形をなし、半導体レーザー装着部の取付孔に後部より半導体レーザーの前方より挿入し、該半導体レーザーの接合面が出射角度の最適取付位置に予め印を付しているのを合わせた後に後部より半導体レーザーのステムを押圧板にてネジにより半導体レーザー装着部に取り付けられように構成されている。
【０００３】
【発明が解決しようとする課題】
ＣＤ−Ｒ／ＲＷ等の記録に使用する記録用半導体レーザーは、高出力が要求されるため、放熱等の関係からカンタイプの半導体レーザーが使用されている。一方、最近の光ピックアップを使用した機器は携帯機器に色々と使用され小型化が更に進んでおり１ミリ単位で薄型化に向けて開発競争がなされている。特に携帯型で使用されるノート型のコンピュータには内蔵されるＣＤ−Ｒ／ＲＷドライブの薄型化が進んでいるが、それに伴って光ピックアップも薄型化が要求されているという問題があった。
【０００４】
本発明は、斯かる問題を解決した光ピックアップの半導体レーザー固定装置を提供しようとするものである。
【０００５】
本発明の請求項１に係る光ピックアップの半導体レーザー固定装置は、信号記録媒体に照射する光ビームを発生させる光源として半導体レーザーを使用する光ピックアップの半導体レーザーの固定装置であって、前記半導体レーザーは、底部分をカット面とした円筒形状のステムを有し、該半導体レーザーが取付けられるハウジングの半導体レーザー装着部に、該カット面が露出されるべく一部が開放された円筒形状の半導体レーザー取付孔が設けられ、該半導体レーザーを該半導体レーザー装着部に押圧する押圧板が設けられ、該押圧板は、該半導体レーザーを押圧する弾性部材を有した押圧片と、該カット面を支持する弾性部材を有した支え片とを備え、該半導体レーザー装着部に設けられた該半導体レーザー取付孔に、該半導体レーザーが挿入され、該半導体レーザー装着部に固定される該押圧板により、該カット面が押圧されて該ハウジングに該半導体レーザーが固定され、該カット面と、該支え片との圧接により、該半導体レーザーの角度が最適角度とされたことを特徴とする。
【０００６】
【実施例】
図１は本発明を説明する要部の斜視図、図２は異なる方向からの要部の斜視図である。図において１は光ピックアップのハウジングに設けられている半導体レーザー装着部、２は記憶媒体に書込みまたは書込み動作を行うためのレーザー光を放射する円筒状の半導体レーザーであり、該半導体レーザー２には円筒形状のステム２ａが設けられ、該ステム２ａには半導体レーザー２のレーザー光の放射方向との対向する面には当接面２ｂと該当接面２ｂに対向する面である押圧面２ｃと半導体レーザー２の底面（レーザー光の放射に最適な角度の底面）をカットしたカット面２ｄを有している。
【０００７】
３は前記半導体レーザー装着部１に設けられた半導体レーザー２を装着する円筒形状の取付孔であり、前記半導体レーザー２のカット面２ｄが露出される円筒形状の下面の一部が開放された形状に成型されている。
【０００８】
４は前記半導体レーザー２を取付けるための押圧板であり、前記半導体レーザー２を押圧固着する弾性部材を有した二つの押圧片４ａと、前記カット面２ｄとを支持する弾性部材を有した支え片４ｂと押圧板４を半導体レーザー装着部１に固定する二つの取付け孔４ｃが設けられている。
【０００９】
５は前記押圧板４を半導体レーザー装着部１に固定するネジ、６は前記取付孔３の円筒内に設けられ、半導体レーザー２を取付孔３に挿入したときにステム２ａと当接する溝枠、７は前記押圧板４をネジ５にて取付けられるネジ孔である。
【００１０】
斯かる構成において、半導体レーザー２を光ピックアップの半導体レーザー装着部１に固定する場合には、まず、半導体レーザー２のカット面２ｄを底面とした状態で取付孔３に挿入すると溝枠６に半導体レーザー２に設けられた当接面２ｂが当接する。この状態において、半導体レーザー２はＡ回転方向及びＢ回転方向に自由に枢支されている。
【００１１】
この状態において、半導体レーザー２に押圧板４を固定するには、まず、押圧面２ｃに押圧片４ａを押圧するとともに半導体レーザー２の底面であるカット面２ｄを支え片４ｂにより当接した状態に保持し、取付け孔４ｃを押圧しネジ孔７にネジ５にてネジ止めされる。この場合、予めレーザー光の放射角度が最適状態によりカット面２ｄをカットしており、カット面２ｄと支え片４ｄが圧接して取付けられることにより半導体レーザーの放射角度が取付時に最適角度で取付けられるとともに確実に固定されることになる。
【００１２】
【発明の効果】
本発明は、ハウジングの半導体レーザー装着部には半導体レーザーのステムに形成されたカット面が露出されるべく一部が開放された円筒形状の取付孔が設けられ、前記カット面を押圧板により押圧して半導体レーザーを取付けるようにしたので、記録用に用いられるカンタイプの半導体レーザーを使用する光ピックアップの厚さを薄くしたので半導体レーザーを容易に取付け固定することが出来るという効果を有している。
【００１３】
また、本発明は半導体レーザー装着部の半導体レーザー取付孔に挿入された半導体レーザーを後方から半導体レーザー装着部に押圧する押圧板は押圧片と半導体レーザーのカット面を支持する支え片を備えた構成にしたので、半導体レーザーの角度を印により位置合わせを行った後にネジにより固定する必要がなく取付時に押圧板に設けた支え片の圧接により自動的に放射角度が取付時に最適角度でしかも確実に取付けられるという作業性に優れたものである。
【図面の簡単な説明】
【図１】  本発明に係る光ピックアップの半導体レーザー固定装置における一実施例の要部を示す分解斜視図である。
【図２】  本発明の一実施例の異なる方向からの要部を示す斜視図である。
【符号の説明】
１    半導体レーザー装着部
２    半導体レーザー
２ａ  ステム
２ｂ 当接面
２ｃ  押圧面
２ｄ  カット面
３    半導体レーザー取付孔（取付孔）
４    押圧板
４ａ  押圧片
４ｂ  支え片
４ｃ 取付け孔
５ ネジ
６ 溝枠
７ ネジ孔
【図１】
0003831606.tif 000002
【図２】
0003831606.tif 000003